(57)【要約】【課題】画面表示を用いた設定操作を行い易くする。【解決手段】装着型電子装置１００の音楽再生装置４０は、装着ベルト３０によって腕２５に装着される。音楽再生装置４０の装置本体５０には、腕２５に装着された状態で表側を向く表示画面５９が設けられる。第１、第２レバー５２Ａ、５２Ｂは、装置本体５０の表面５０ｅにおいて、表示画面５９を挟んで互いに前後に対峙して配置され、これらは表示画面５９側に傾倒操作され、且つ、操作が解除されると、自力で原位置に復帰する。両レバー５２の組合せ等の操作により、表示画面５９の表示を用いた機器設定が行える。【選択図】図３
2008233211.tif 000002
【特許請求の範囲】
【請求項１】
腕に装着される装着型電子装置であって、
腕に装着された状態で表側を向く表示画面と、
前記表示画面を挟んで互いに対峙する位置に突設して配設された第１、第２操作子とを有し、
前記第１、第２操作子は、いずれも、操作により前記表示画面側に倒れると共に、操作解除されると前記表示画面の反対側にそれぞれ自力復帰するように構成され、
前記第１、第２操作子のいずれかまたは双方の操作により、前記表示画面上の表示を用いた設定が行えるように構成されたことを特徴とする装着型電子装置。
【発明の詳細な説明】
【技術分野】
【０００１】
本発明は、音楽再生装置等の、身体に装着して使用される装着型電子装置に関する。
【背景技術】
【０００２】
従来、音楽再生装置等の、身体に装着して使用される装着型電子装置が知られている。例えば、下記特許文献１の装置では、携帯電話として構成される電子装置本体が、バンド部を用いて腕に装着可能に構成される。電子装置本体には、表示部に加えて各種の操作子が多数設けられている。
【特許文献１】特開２００１−１６０８５０号公報
【発明の開示】
【発明が解決しようとする課題】
【０００３】
しかしながら、上記特許文献１の装置では、操作子は、表示部の近傍に多数設けられるが、いずれも押下型で、しかも小さく多数であるので、操作が複雑であった。特に、腕に装着した状態で操作する場合は、押下すべき操作子を目視でしっかりと確認しないと誤操作に繋がるため、操作性がよくないという問題があった。
【０００４】
本発明は上記従来技術の問題を解決するためになされたものであり、その目的は、画面表示を用いた設定操作を行い易くすることができる装着型電子装置を提供することにある。
【課題を解決するための手段】
【０００５】
上記目的を達成するために本発明の請求項１の装着型電子装置は、腕（２５）に装着される装着型電子装置（１００）であって、腕に装着された状態で表側を向く表示画面（５９）と、前記表示画面を挟んで互いに対峙する位置に突設して配設された第１、第２操作子（５２Ａ、５２Ｂ）とを有し、前記第１、第２操作子は、いずれも、操作により前記表示画面側に倒れると共に、操作解除されると前記表示画面の反対側にそれぞれ自力復帰するように構成され、前記第１、第２操作子のいずれかまたは双方の操作により、前記表示画面上の表示を用いた設定が行えるように構成されたことを特徴とする。
【０００６】
なお、上記括弧内の符号は例示である。
【発明の効果】
【０００７】
本発明の請求項１によれば、画面表示を用いた設定操作を行い易くすることができる。
【発明を実施するための最良の形態】
【０００８】
以下、本発明の実施の形態を図面を参照して説明する。
【０００９】
図１（ａ）は、本発明の一実施の形態に係る装着型電子装置がユーザの腕に装着された状態を示す図である。この装着型電子装置１００は、例えば、フィットネスと音楽聴取の機能を併せ持つ音楽再生装置として構成されるが、これに限られず、身体装着型の各種の電子装置に適用される。図１（ａ）に示すように、装着型電子装置１００は、音楽再生装置４０と、音楽再生装置４０を支持してユーザ２４の腕２５に装着するための装着ベルト３０とから構成される。
【００１０】
図１（ｂ）は、音楽再生装置４０の機能構成を示すブロック図である。図１（ｂ）に示すように、音楽再生装置４０は、ＲＯＭ１２、ＲＡＭ１３、記録装置１４、タイマ１６、通信インターフェイス１５、表示器１８、音源１９、サウンドシステム２０及びインターフェイス１７が、バス１０を介してＣＰＵ１１にそれぞれ接続されて構成される。さらに、インターフェイス１７には、加速度センサ２１、心拍センサ２２のほか、各種情報を入力するための複数のスイッチを含む操作子群２３が接続されている。サウンドシステム２０は音源１９にも接続され、タイマ１６はＣＰＵ１１にも接続されている。
【００１１】
通信インターフェイス１５には、ＭＩＤＩ（Musical Instrument Digital Interface）インターフェイスやＵＳＢ（Universal Serial Bus）等が含まれる。通信インターフェイス１５を通じて、パーソナルコンピュータ等の他の機器に接続し、情報のやりとりが可能である。例えば、通信インターフェイス１５を通じて、楽曲データを取得することができる。
【００１２】
記録装置１４は、フラッシュメモリやハードディスク等の不揮発性メモリで構成される。記録装置１４には、各種プログラム、取得した楽曲データ、音楽再生装置４０の機器設定情報、フィットネス利用時の各種データ、管理データ等が記憶可能である。楽曲データは、ＭＰ３（MPEG audio layer 3）等の圧縮オーディオデータであるが、これに限られず、例えば、ＷＡＶデータ、ＭＩＤＩデータであってもよい。
【００１３】
加速度センサ２１は、音楽再生装置４０にかかる加速度を検出する。検出した加速度から、運動者１の歩行状態が検出可能であり、それにより歩行数がカウント可能である。心拍センサ２２は、ユーザ２４の耳たぶ等に装着されて、脈拍を検出する。加速度センサ２１、心拍センサ２２の検出信号は、インターフェイス１７を介してＣＰＵ１１に入力され、記録装置１４に記憶される。操作子群２３の操作状態を示す信号も、インターフェイス１７を介してＣＰＵ１１に入力される。
【００１４】
ＣＰＵ１１は、本音楽再生装置４０の制御を司る。ＲＯＭ１２は、ＣＰＵ１１が実行する制御プログラムや各種テーブルデータ等を記憶する。ＲＡＭ１３は、演奏データ、テキストデータ等の各種入力情報、各種フラグやバッファデータ及び演算結果等を一時的に記憶する。タイマ１６は、タイマ割り込み処理における割り込み時間等の各種時間を計時する。音源１９は、ＣＰＵ１１の指示に応じて、演奏データ等を楽音信号に変換する。サウンドシステム２０は、アンプ等を含んで構成され、音源１９から入力される楽音信号を音響に変換する。
【００１５】
図２は、装着型電子装置１００の外観図である。音楽再生装置４０は表示画面５９、電源スイッチ５５を有し、装着されたヘッドホンプラグ５７からコード５８が延設される。再生される音楽は、コード５８を通じてヘッドホン２８で聴くことができる。（図１（ａ）参照）。
【００１６】
詳細は後述するが、装着型電子装置１００は、装着ベルト３０が腕２５の主に二の腕近傍に巻かれてユーザ２４の腕２５に装着される。その際、装着ベルト３０で形成される環状装着部Ｓ２内に腕２５が位置することになる。装着型電子装置１００が装着される腕２５は左腕とし、図２では、ユーザ２４の視点から見た外観が示されている。すなわち、同図において、環状装着部Ｓ２の手前左側が腕２５の付け根方向となる。音楽再生装置４０の向きは腕２５の動きによってたえず変化するため、以降、方向の呼称を統一する。
【００１７】
図２に表示したように、まず、表示画面５９がある側が「表側」、腕２５に対向する側を「底側」とする。また、側面については、ヘッドホンプラグ５７が装着される側の面がユーザ２４の腕２５の肩方向を向くので、これ面の側を「肩側」、その反対側を「手先側」と呼称する。さらに、音楽再生装置４０は、通常、表示画面５９が左方を向くように装着されることが想定されるため、音楽再生装置４０の長手方向（腕２５の円周方向）については、音楽再生装置４０の電源スイッチ５５がある側を「前側」、その反対側を「後側」と呼称する。
【００１８】
図３は、音楽再生装置４０を表側からみた図である。図４（ａ）は、非装着状態における装着型電子装置１００を肩側からみた図である。図４（ｂ）は、図４（ａ）のＡ−Ａ線に沿う断面図である。図５は、装着状態における装着型電子装置１００を肩側からみた図である。
【００１９】
図４、図５に示すように、音楽再生装置４０は、音楽再生装置本体（以下、単に「装置本体」と称する）５０と、装置本体５０とは別体の台座４１とから構成される。装置本体５０の肩側の側面５０ｆには、端子５６が設けられ、端子５６に、上記したヘッドホンプラグ５７が差し込まれる（図２、図３参照）。また、図３に示すように、装置本体５０の前側面５０ｊには端子６０が設けられる。端子６０は、通信インターフェイス１５のうちＵＳＢ端子に相当する。
【００２０】
加速度センサ２１、ＲＯＭ１２、ＲＡＭ１３、記録装置１４、タイマ１６、音源１９、サウンドシステム２０（図１（ｂ）参照）は、装置本体５０に内蔵されている。表示器１８は、上記した表示画面５９を含み、表示画面５９は、液晶ディスプレイ（ＬＣＤ）等で構成され、各種情報を表示する。装置本体５０には、不図示の心拍センサ接続端子が設けられ、ここに接続される不図示の心拍センサ用コードを介して、心拍センサ２２で検出した心拍を示す信号が装置本体５０に供給される。操作子群２３には、上記した電源スイッチ５５のほか、傾倒型スイッチである第１、第２レバー５２Ａ、５２Ｂ、押下スイッチ５３が含まれる（図２、図３参照）。
【００２１】
図４、図５に示すように、台座４１は、底板部４２と肩側及び手先側の側板部４３とから一体に構成され、後側からみて上方が開口したコ字状を呈する（図４（ｂ）参照）。両側板部４３には、長手方向中央付近において、係止スリット４４が形成されている。
【００２２】
図４（ｂ）に示すように、装置本体５０は、後側からみて台座４１と略同幅の矩形を呈し、肩側からみて略台形を呈する。装置本体５０の底面である装着面５０ｈと台座４１とは、長手方向の長さが同じである。装置本体５０の肩側の側面５０ｆ及び手先側の側面５０ｉの、底部側（装着面５０ｈ側）の幅狭となっている部分は、台座４１の両側板部４３間に嵌合する寸法となっていて、該幅狭となっている部分には、台座４１の係止スリット４４に対して嵌合的な形状をした係止片５１が一体に形成されている。
【００２３】
装置本体５０の上記幅狭となっている部分を台座４１の両側板部４３間に嵌合し、装着面５０ｈを底板部４２に当接させると、係止スリット４４に係止片５１が嵌合される。これにより、装置本体５０が台座４１に対して固定される。一方、装置本体５０を表側方向に抜き取るように動かして、係止スリット４４と係止片５１との嵌合を解くと、装置本体５０が台座４１に対して取り外される。後述するように、台座４１は装着ベルト３０に常時固定されているため、これらの操作により、装着ベルト３０に対する装置本体５０の着脱が行える。
【００２４】
装置本体５０が台座４１に固定された状態では、台座４１の前側端部４１ａ、後側端部４１ｂと、装置本体５０の装着面５０ｈ側の前側端部５０ａ、後側端部５０ｂとが、それぞれ当接固定状態で一体的となる。
【００２５】
図３に示すように、電源スイッチ５５は、装置本体５０の表面５０ｅ内における前側且つ肩側に配設される。電源スイッチ５５は、誤操作防止のために表面５０ｅから突出しておらず、非操作状態では表面５０ｅと面一となっている。表示画面５９は、表面５０ｅ内における主に長手方向中央から後側半部にかけて配設される。第１、第２レバー５２Ａ、５２Ｂ、押下スイッチ５３は、装置本体５０の表面５０ｅに突設される。第１、第２レバー５２Ａ、５２Ｂは、表示画面５９に近接してそれぞれ表示画面５９の前側、後側に配設され、表示画面５９を挟んで互いに対峙している。
【００２６】
第１、第２レバー５２Ａ、５２Ｂは、それぞれ斜め前方、斜め後方に傾倒して突設され（図４（ａ）、図５参照）、表面５０ｅの幅方向（肩側〜手先側方向）に長い。また、いずれも表示画面５９側に力を加えられることで、表示画面５９側に（ほぼ垂直になる程度まで）倒れるようになっている。これが、第１、第２レバー５２Ａ、５２Ｂの操作時の動きである。一方、第１、第２レバー５２Ａ、５２Ｂは、操作が解除されると、バネ等で表示画面５９の反対側に倒れる方向に付勢され、自力で原位置に復帰するようになっている。第１、第２レバー５２Ａ、５２Ｂは個別に操作が可能である。
【００２７】
押下スイッチ５３は、第１レバー５２Ａの前側に近接して配置される。押下スイッチ５３は、押下式のスイッチである。押下スイッチ５３の肩側方向には、指掛け部５４が押下スイッチ５３に連接して突設されている。押下スイッチ５３及び指掛け部５４は、表面５０ｅの幅方向に長く、表側からみて両者が一体の長方形を呈している。両者の突出高さも同一であり、デザイン的には両者が一体的であるかのように視認される。
【００２８】
装着型電子装置１００が左の腕２５に装着された状態で操作される場合は、右手で操作することになる。その場合、図３に示すように、親指２６を指掛け部５４の上に乗せて第１レバー５２Ａに接触または近接させると共に、人差し指２７を第２レバー５２Ｂに接触または近接させた状態とすると、操作が行いやすくなっている。
【００２９】
まず、第１、第２レバー５２Ａ、５２Ｂ間の距離は、平均的なユーザの自然な操作待機状態における人差し指と親指との間隔と同じ程度に設定されている。親指２６は指掛け部５４の上に乗っているので、押下スイッチ５３の押下操作あるいは第１レバー５２Ａの傾倒操作のいずれに移行することも簡単である。また、人差し指２７で第２レバー５２Ｂを傾倒操作することも簡単である。親指２６と人差し指２７とで第１、第２レバー５２Ａ、５２Ｂを挟み込む方向に同時操作することも簡単であり、片手操作が容易となっている。しかも、指掛け部５４は、親指２６が係止されているとき、押下スイッチ５３や第１レバー５２Ａを意図せずに親指２６が操作してしまうことを抑制するプロテクト機能を果たす。
【００３０】
操作による表示画面５９の表示内容や設定内容の変化については、図６、図７でも後述するが、代表的な操作では、表示画面５９の表示を用いた音楽再生等に関する機器設定がなされる。一例を挙げると、押下スイッチ５３は、押下されることで、処理や画面表示を次の階層や別のメニューに進めるスイッチとして機能し、所定秒（例えば２秒）以上押下し続けた場合は、逆に階層を１つ戻す戻りスイッチとして機能する。第１、第２レバー５２Ａ、５２Ｂは、表示画面５９に表示された項目を選択するのに用いられる。
【００３１】
例えば、図３に示すように、押下スイッチ５３を用いて表示画面５９に再生候補の楽曲名を表示させる。現在候補となっている楽曲名５９ａ（例えば、「ＧＨＩＪＫＬ」）の色が反転して示される。第１、第２レバー５２Ａ、５２Ｂのいずれかを一回傾倒操作する毎に、反転する候補曲がそれぞれ後側、前側に移動する。第１、第２レバー５２Ａ、５２Ｂを略同時に傾倒操作すると、その時点で候補となっている楽曲が再生曲として決定され、再生が開始される。なお、モード切り替えにより、各スイッチの機能は変化し、例えば、音量や音色の変更等の楽音再生に関する機能だけでなく、フィットネス管理に関する表示や発音処理等の操作も行える。
【００３２】
また、ユーザ２４は、目でみて操作するだけでなく、指掛け部５４の位置をたよりに親指２６の位置を決め、さらには自然に人差し指２７の位置も決まり、視認することなく操作待機状態に移行することができる。音量変更や楽曲スキップ等の簡単な操作であれば、いちいち操作子や表示画面５９を見なくても操作が可能である。
【００３３】
次に、装着ベルト３０及びその関連部分の構成を説明する。図４（ａ）に示すように、装着ベルト３０は、第１ベルト部３１、第２ベルト部３２、第３ベルト部３３及びリング部材３６からなる。第１〜第３ベルト部３１〜３３はいずれも樹脂または布等の可撓性のある部材を基材として同幅の帯状に構成される。
【００３４】
第３ベルト部３３には、台座４１の底板部４２が固定されている。台座４１の第３ベルト部３３に対する固定手法は問わず、着脱自在であってもよい。また、少なくとも、台座４１の前側端部４１ａ、後側端部４１ｂに対してそれぞれ第３ベルト部３３の前側の第１端部３３ａと後側の第２端部３３ｂとが実質的に固定的となっていればよく、第１端部３３ａから第２端部３３ｂまでの間の途中の部分が台座４１に対して固定されていなくてもよい。
【００３５】
図２、図４（ａ）に示すように、第１ベルト部３１の第１端部３１ａ及び第２ベルト部３２の第１端部３２ａは、接合点Ｐａにおいて第３ベルト部３３の第１端部３３ａに対して固定状態となっている。また、第１ベルト部３１の第２端部３１ｂは、第３ベルト部３３の第２端部３３ｂと共に、接合点Ｐｂにおいて台座４１の後側端部４１ｂに対して固定状態となっている。
【００３６】
実際には、本実施の形態では、第１〜第３ベルト部３１〜３３は、繋がった１枚の帯として一体に形成され、第１端部３３ａが接合点Ｐａにおいて第１端部３１ａ及び第１端部３２ａに対して固着されている。しかし、第１〜第３ベルト部３１〜３３は、いずれかまたはすべてをそれぞれ別体として構成してから上記のように固定状態にしてもよい。第１〜第３ベルト部３１〜３３を別体で構成する場合は、第１端部３１ａ、３２ａ、３３ａは、装置本体５０の前側端部５０ａに固定的となる台座４１の前側端部４１ａに対して固定的であればよい。また、第２端部３１ｂ、３３ｂは、装置本体５０の後側端部５０ｂに固定的となる台座４１の後側端部４１ｂに対して固定的であればよい。
【００３７】
第１ベルト部３１は、装置本体５０の表面５０ｅを覆っており、その第１端部３１ａから第２端部３１ｂまでの全長は、台座４１の前側端部４１ａから、装置本体５０の前側面５０ｊ、表面５０ｅ、後側面５０ｇを経て後側端部４１ｂに至るまでの外郭寸法よりも長く設定されている。第１端部３１ａから第２端部３１ｂまでの間に、リング部材３６が係合している。図３に示すように、リング部材３６は、挿通部３６ａを有する。第１端部３３ａが第１端部３１ａ及び第１端部３２ａに対して固着される前に、挿通部３６ａに第１ベルト部３１が挿通されることで、第１ベルト部３１にリング部材３６が係合している。
【００３８】
図２、図３に示すように、第１ベルト部３１には、窓部３１ｃが形成されており、装着型電子装置１００が装着された状態においては、窓部３１ｃから、表面５０ｅの表示画面５９及び操作子群２３（第１、第２レバー５２Ａ、５２Ｂ、押下スイッチ５３等）の構成要素が露出する。従って、操作子群２３の操作や視認には支障がない。第１ベルト部３１の第１端部３１ａが台座４１の前側端部４１ａに固定的にされていることで、窓部３１ｃを表面５０ｅに対する適切な位置に位置させる位置合わせ機能が果たされる。
【００３９】
装着型電子装置１００を腕２５に装着する際には、図２に示すように、装置本体５０の底部側（装着面５０ｈ側）において第２ベルト部３２の第２端部３２ｂをリング部材３６の挿通部３６ａに挿通して折り返す。第２ベルト部３２のうち折り返しにより互いに対向する側の面には、一対の面ファスナ３５Ａ、３５Ｂが固着等により設けられている（図２、図４（ａ）、図５参照）。２つの面ファスナ３５Ａ、３５Ｂが合わさることで第２ベルト部３２が折り返し状態で安定して固定される。面ファスナ３５Ａ、３５Ｂは、互いに繰り返し固着／離脱できるものであればよく、その構成は問わない。
【００４０】
装着型電子装置１００を腕２５に装着した状態では、図２、図５に示すように、第１ベルト部３１のうち第２端部３１ｂからリング部材３６までの部分と、第３ベルト部３３（乃至装置本体５０の装着面５０ｈ）と、第２ベルト部３２のうち第１端部３２ａからリング部材３６までの部分とで、環状装着部Ｓ２が形成される。具体的な装着作業では、第２ベルト部３２で腕２５を巻いて、その第２端部３２ｂをリング部材３６に挿通して折り返し、適当な締め付け強さとなるように第２端部３２ｂを引っ張ってから、面ファスナ３５Ａ、３５Ｂを合わせて固定する。これにより、腕２５の周囲が環状装着部Ｓ２に巻き付けられる。装置本体５０は、外力から保護され、脱落も抑制され、外観も向上する。
【００４１】
この装着状態においては、第１ベルト部３１が装置本体５０の前側面５０ｊ、装置本体５０の表面５０ｅ側の前側端部５０ｃ及び表面５０ｅに密着している（図５参照）。そして、装置本体５０の後側面５０ｇと、第１ベルト部３１の２重となっている部分との間に、環状部Ｓ１が形成される。環状部Ｓ１は、装置本体５０の表面５０ｅ側の後側端部５０ｄと後側端部５０ｂとリング部材３６とを結ぶ三角形状の環状部である。装置本体５０が後端部側から外力を受けたとき、環状部Ｓ１は緩衝機能を果たす。
【００４２】
図６は、メイン処理のフローチャートである。本処理は、電源スイッチ５５のオンにより開始され、ＣＰＵ１１により実行される。
【００４３】
まず、初期化を実行、すなわち所定プログラムの実行を開始し、各種レジスタに初期値を設定して初期設定を行う（ステップＳ１０１）。次に、操作子群２３のいずれかの操作を検出し（ステップＳ１０２）、操作があった場合にのみ、後述する図７の操作子対応処理を実行する（ステップＳ１０３）。次に、演奏等処理を実行して（ステップＳ１０４）、前記ステップＳ１０２に戻る。この演奏等処理では、音楽再生モードでは、選択された楽曲の再生処理がなされるが、その他のモードでは、そのモードに応じた処理（フィットネス管理における表示等）が実行される。
【００４４】
図７は、図６のステップＳ１０３で実行される操作子対応処理のフローチャートである。まず、第１レバー５２Ａの操作があった場合は、表示画面５９（図３参照）において選択状態にある項目を第２レバー５２Ｂ側（後側）に移動させる（ステップＳ２０１→Ｓ２０２→Ｓ２０４）。しかし、第１レバー５２Ａがあってからｔ秒（例えば、０．５秒）内に第２レバー５２Ｂの操作があった場合は、両レバー５２Ａ、５２Ｂの同時操作の意志であると判断されるので、現在選択状態にある項目を機器に設定する（ステップＳ２０１→Ｓ２０２→Ｓ２０３）。
【００４５】
第２レバー５２Ｂが先に操作された場合も同様であり、第２レバー５２Ｂの単独操作の場合は、選択状態にある項目を第１レバー５２Ａ側（前側）に移動させる（ステップＳ２０５→Ｓ２０６→Ｓ２０８）。しかし、両レバー５２Ａ、５２Ｂの同時操作であれば、現在選択状態にある項目を機器に設定する（ステップＳ２０５→Ｓ２０６→Ｓ２０７）。
【００４６】
楽曲選択が行われるモードであった場合、前記ステップＳ２０３、Ｓ２０８で設定された楽曲は、図６のステップＳ１０４で再生がなされる。
【００４７】
ステップＳ２０９では、「戻りスイッチ操作」があった、すなわち、押下スイッチ５３が所定秒以上継続して押下された場合は、表示画面５９の表示や処理内容を１つ前の表示乃至階層に戻す（ステップＳ２０９、Ｓ２１０）。一方、押下スイッチ５３が所定秒以内で押下された「進みスイッチ操作」である場合は、表示画面５９の表示や処理内容を次の表示乃至階層に進める（ステップＳ２１１、Ｓ２１２）。
【００４８】
次に、その他処理を実行して（ステップＳ２１３）、本処理を終了する。ここで、その他処理においては、例えば、電源スイッチ５５のオフ、モード切替等の処理がなされる。モード切替は、第１、第２レバー５２Ａ、５２Ｂ及び押下スイッチ５３の所定の組合せ操作によってなされる。
【００４９】
本実施の形態によれば、第２ベルト部３２をリング部材３６の挿通部３６ａに挿通して折り返すことで、環状装着部Ｓ２が形成されて装着型電子装置１００が腕２５に簡単に装着される（図２、図５参照）。特に、装置本体５０の後側面５０ｇと第１ベルト部３１とで後端部側に環状部Ｓ１が形成されるので、装置本体５０の後端部側からの衝撃が環状部Ｓ１で吸収されるようにして、装置本体５０を外方からの外力から効果的に保護することができる。
【００５０】
また、第２ベルト部３２をきつく締めれば第１ベルト部３１が装置本体５０を表側から強く押圧することになるので、装置本体５０が脱落しにくい。その一方、第２ベルト部３２を緩めれば、第１ベルト部３１と装置本体５０との間に隙間が生じて、装置本体５０を台座４１から容易に取り外すことができるようになる。しかも、装着ベルト３０は１枚の帯から構成でき、袋状等の保持部を設ける必要がなく構成が簡単である。よって、装着ベルト３０の構成が簡単でありながら、外力による装置本体５０の脱落を抑制すると共に、装置本体５０の着脱作業を容易にすることができる。さらには、装置本体５０が突出して露出した構成に比し、外観を向上させることができる。
【００５１】
本実施の形態によればまた、表示画面５９を挟んで互いに対峙する位置に突設された第１、第２レバー５２Ａ、５２Ｂの操作により、表示画面５９を用いた機器設定が行えるので、画面表示を用いた設定操作を行い易くすることができる。
【００５２】
また、押下スイッチ５３に連接して指掛け部５４を設けたので、操作前の指の待機位置を決めやすくして、操作を一層容易にすることができる。しかも、指掛け部５４に親指２６をおいた状態で、表示画面５９を用いた機器設定を行う際に、第１レバー５２Ａ及び指掛け部５４の操作のための親指２６の変位量が小さくて済み、指掛け部５４に親指２６の重心をおいた状態で両操作が任意に可能であるので、設定操作が極めて円滑に行える。
【００５３】
図８は、本実施の形態における変形例の装着ベルトを採用した装着型電子装置を肩側からみた図である。この変形例に係る装着ベルト３０は、図１〜図５に示す構成に対して、第３ベルト部３３を廃止し、代わりに接続部１３３を設けたものである。その他の構成は全く変わりがない。
【００５４】
すなわち、第１ベルト部３１の第２端部３１ｂは、装置本体５０の後側端部５０ｂに固定的である台座４１の後側端部４１ｂに対して固定され、第１、第２ベルト部３１、３２の第１端部３１ａ、３２ａは、装置本体５０の前側端部５０ａに固定的である台座４１の前側端部４１ａに対して、接続部１３３を通じて固定されている。
【００５５】
この構成では、第３ベルト部３３が存在しないので、腕２５に装着型電子装置１００が装着された状態では、台座４１の底板部４２が環状装着部Ｓ２（図２、図５参照）の一部を形成することになって、腕２５に直接当接する。また、環状部Ｓ１が形成されることは図１〜図５の例と同様である。従って、この変形例においても、図１〜図５の構成と同様の効果を奏することができる。
【００５６】
なお、本実施の形態では、装置本体５０は、台座４１を介して装着ベルト３０に固定される構成を例示したが、装置本体５０を装着ベルト３０から着脱可能にする効果が不要である場合は、音楽再生装置４０が装着ベルト３０に直接固定された構成を採用してもよい。
【００５７】
なお、リング部材３６の挿通部３６ａ（図３参照）は、完全な環状でなくてもよく、一部に切れ目も設けて第１ベルト部３１から着脱可能に構成してもよい。
【００５８】
なお、装置本体５０の後側面５０ｇ及び前側面５０ｊ（図４（ａ）参照）は、斜面でなくてもよく、表面５０ｅに対して垂直な面であってもよい。
【００５９】
なお、第１、第２レバー５２Ａ、５２Ｂがどのように操作されたらどのような機器設定がなされるのかについて、上記したのは一例に過ぎない。例えば、第１、第２レバー５２Ａ、５２Ｂは、いずれか一方のみの操作によっても機器設定が可能なように構成してもよい。あるいは、単独または組合せによって設定できる内容が変わるようにしてもよい。モードによって割り当て機能を変更できるようにしてもよい。これらにより多彩な設定が容易となる。
【００６０】
なお、装着ベルト３０に腕２５を通す際の方向は、例示したのと反対でもよい。また、楽再生装置４０の長手方向における、音楽再生装置４０に対する装着ベルト３０の固定方向は、例示したのと反対としてもよい。
【図面の簡単な説明】
【００６１】
【図１】本発明の一実施の形態に係る装着型電子装置がユーザの腕に装着された状態を示す図（図（ａ））、音楽再生装置の機能構成を示すブロック図（図（ｂ））である。
【図２】装着型電子装置の外観図である。
【図３】音楽再生装置を表側からみた図である。
【図４】非装着状態における装着型電子装置を肩側からみた図（図（ａ））、同図（ａ）のＡ−Ａ線に沿う断面図（図（ｂ））である。
【図５】非装着状態における装着型電子装置を肩側からみた図である。
【図６】メイン処理のフローチャートである。
【図７】図６のステップＳ１０３で実行される操作子対応処理のフローチャートである。
【図８】本実施の形態における変形例の装着ベルトを採用した装着型電子装置を肩側からみた図である。
【符号の説明】
【００６２】
２５  腕、  ５９  表示画面、  ５２Ａ  第１レバー（第１操作子）、  ５２Ｂ  第２レバー（第２操作子）、  １００  装着型電子装置
【図１】
2008233211.tif 000003
【図２】
2008233211.tif 000004
【図３】
2008233211.tif 000005
【図４】
2008233211.tif 000006
【図５】
2008233211.tif 000007
【図６】
2008233211.tif 000008
【図７】
2008233211.tif 000009
【図８】
2008233211.tif 000010